(57)【特許請求の範囲】
【請求項１】
吊戸方式により走行域上辺部に走行レールを設け、幅が１．５ｍ以上で高さが１．８ｍを超えるドアを木質材やアルミニウム系などの金属部材による枠材と無機質繊維に合成樹脂質を含浸硬化させた板状体を用いたドアの頂部に配設された吊金具の走行ローラを前記走行レールに係合せしめて前記ドアの走行を図るようにしたものであって、前記吊金具またはその近傍に接合部を設け、前記した走行レールの上方における上記通行域の端部側に基端側を枢着された制御カム板を設けると共に、前記制御カム板、連結軸及び復動弾性体より成る制御カム機構を対称状に走行レールの両端側に対設し、走行レールの柱または戸当り部より適当な距離を採って前記走行レール上を走行する吊金具ローラの走行を制御するレールカム部を形成し、前記した該制動カム板に復動弾性材を配設したことを特徴とした医療機関内のドア開閉装置。
【発明の詳細な説明】
【０００１】
【発明の属する技術分野】
本発明はドア開閉装置の創案に係り、比較的大型な入口部分、特に病院などの寝台車や車椅子の如きが出入する通路ないし病室入口部分などに設けられるドアを開閉するための好ましい機構を提供し、またこのような開閉ドアを用いた入口装置を提供しようとするものである。
【０００２】
【従来の技術】
ドア開閉装置として引戸方式は開き戸方式と共に主体をなし、古くから広く種々の形式によって採用されて来た。即ち開閉域の上下に鴨居と敷居を対設し、これらの敷居、鴨居間において建具その他のドア類を走行開閉することが一般的であり、一部に吊戸方式として通行開閉域上部に走行レールを設け、該走行レールに前記ドア類の頂部に配設した吊金具の辷り手段または回転手段を係合させることが行われている。
【０００３】
なお前記した建具ないしドア類については一般家庭用のような場合は幅が１ｍ未満で高さが２ｍ程度のものが通常採用されるが、特に病院などの医療機関の如き公的機関においては車椅子やベッド車などが附添人ないし補助者などと共に通行する必要があり、更には診療機器などの搬入搬出を必要とすることから上記したような通行開閉域の幅が１ｍを超え1.２ｍまたはそれ以上に達し、その高さも1.８ｍを超えるようなことが一般的でしかも適当な耐火性を必要とする。従ってこのようなドアは鉄鋼製のものとならざるを得ず、その厚さは４０mmであっても、重量は８０〜１００kg程度のものとなる。
【０００４】
また上記のような鉄鋼製ドアは開披時に該鉄鋼製ドアを格納する戸袋部を仕切壁内に設けることが必要であることは当然で、この戸袋部はドアを収容するものであることから前記ドアを充分に収容する空間を採った大型なものとなり、やはり鉄鋼製とならざるを得ないと共にこのような戸袋部体を収容設定する建築物内区劃壁はその表裏に石膏などによるボード板を取付けることからその厚さも２００mmを超えるようなこととなり、その構造も大型化したものとなっている。
【０００５】
更に上記したようなドア類の開閉に関して操作シリンダーやモータなどを用いて光学的、手動的などで得られる信号により自動的に開閉作動することが普及されており、近接信号の如きで自動的にドア類の開閉を図ることも行われているが、上記のように重量が大であることから、その起動、制動が必ずしも円滑に行われない傾向がある。
【０００６】
【発明が解決しようとする課題】
一般的な敷居、鴨居を用いたドア開閉装置による引戸方式のものは広く採用されている方式であるが、敷居において全重量を支持した状態でスライド操作するものであるから開閉時における摩擦抵抗が大であり、従ってまた開閉されるドアの重量ないし大きさに制限を受けざるを得ないし、更に床面に設けられた敷居が床面の利用上ないし清掃上の障害となる。吊戸方式のものにおいても開閉されるドアの大きさないし重量上の制限を受け、大型且つ大重量のものは操作が困難であって、特に開閉スタート時の操作が困難であり、しかも開閉終了時には大きなドアによる運動慣性が衝突停止されることから衝撃が大きいなどの不利がある。
【０００７】
前記した病院などの医療機関出入口における厚さが６０mmを超え、重さが８０kg以上のようなドアはその開閉操作が容易でないことは明らかで、例えば車椅子に乗った通行者が開閉しようとしても車椅子自体が移動（逃げ）し、開閉が著しく困難である。従ってこのような困難さを緩和し開閉を容易とするための補助的機構が必要で設備的に複雑とならざるを得ないし、その戸袋部を区劃壁内にセットしたものにおいて区劃壁が２００mmを超えるものは区劃壁によって建築物の有効利用空間が相当に縮減されることならざるを得ない。
【０００８】
モータや空気圧または油圧などを利用した操作シリンダーによるものにおいては自動的に開閉操作され、頗る有効と言えると共にその開閉速度を適当に制御できる大きな特徴を有しているが、そのことによってドア自体やそれを収納する戸袋部をもった区劃壁の厚さを縮減し得るものではなく、しかも一方において電気系統や制御流体系のエヤーまたは油圧などの液圧系などにおける故障が頻繁しその保守や管理が容易でない。即ちそれなりの大型機関においては専門の保守管理要員を常置しなければならないと共に万一故障を生じた場合にドアが長時間閉塞または開放状態となる決定的不利を有している。
【０００９】
【課題を解決するための手段】
本発明は上記したような従来技術によるものの課題を解消することについて検討を重ね、吊り戸方式のドアを採用すると共に弾性作用をなす制御カム板を用いることにより、好ましい平易で故障などが少い開閉作動を図り、またドア自体の軽量化と区劃壁内に形成された戸袋部の薄層化を図って幅が２ｍ前後のような大型ドアにおいても片手操作で円滑な開閉を可能ならしめ、しかも室内外を区劃する区劃壁の薄層化を図って建築物の有効利用を図り、更にはドアを収納する戸袋部内の清掃、点検を容易化したものであって、以下の如くである。
【００１０】
吊戸方式により走行域上辺部に走行レールを設け、幅が１．５ｍ以上で高さが１．８ｍを超えるドアを木質材やアルミニウム系などの金属部材による枠材と無機質繊維に合成樹脂質を含浸硬化させた板状体を用いたドアの頂部に配設された吊金具の走行ローラを前記走行レールに係合せしめて前記ドアの走行を図るようにしたものであって、前記吊金具またはその近傍に接合部を設け、前記した走行レールの上方における上記通行域の端部側に基端側を枢着された制御カム板を設けると共に、前記制御カム板、連結軸及び復動弾性体より成る制御カム機構を対称状に走行レールの両端側に対設し、走行レールの柱または戸当り部より適当な距離を採って前記走行レール上を走行する吊金具ローラの走行を制御するレールカム部を形成し、前記した該制動カム板に復動弾性材を配設したことを特徴とした医療機関内のドア開閉装置。
【００１５】
【発明の実施の形態】
上記したような本発明によるものの具体的な実施態様を適宜に添附図面に示すところを参照して説明すると、床面１０上に設けられた柱１３または仕切壁間に形成された開放部１１の上部に走行レール６が横設されてドア走行域を形成し、しかも該走行レール６に対しドア１の上辺に取付けられた吊金具２のローラ３が係合されていて前記ドア１を吊止し開放部１１内を自在に走行せしめ開放部１１を開閉し得るように成っている。
【００１６】
本発明においては前記したような構成のものにおいて、ドア１の少くとも一端側吊金具２またはその近傍に係合部４を設け、このような係合部４に対して走行レール６の端部側上方に走行域中央部に位置した基端側を枢着４０された制御カム板５を設け、該制御カム板５の遊端側に取付けた連結軸７をコイルばねのような復動弾性材８内を介して基板部１８に挿通して設けたものであって制御カム板５の遊端側には弯曲したカム部１５が形成されて係合部４に対し制御作動するように成っている。
【００１７】
なお図１のものにおいて係合部４は前記カム部１５における制御作用を円滑に図るためローラ３と同様な回転体を採用しカム部１５に接合することによって転動しながらカム部１５を押上げ乗り越えるようになっており、走行レール６に沿って次第にスピードアップされて走行して来たドア１は上記のようにカム部１５を乗り越えるまでの間その速度を低減して衝撃的に柱または戸当り面１３と衝突することを防止するが、このような作用は単なる球形または蒲鉾型接合部によっても同様に得ることができる。係合部４が図１において示した仮想線位置まで進み、カム部１５の頂点を超えた直後にドア１は柱または戸当りに接合して停止することは図示の通りである。
【００１８】
また本発明においては上記したようなカム部１５を有する制御カム板５とは別に上述したような走行レール６において図１に仮想線で示すように柱１３または戸当り部よりドア１の端部から吊金具２における走行ローラ３に到る距離を若干上廻った位置を頂点９ａとしたレールカム部９を形成することができる。即ちこのようなレールカム部９において図示矢印のように走行して来たドア１の走行ローラ３がカム頂点９ａに達するまでは制動され、頂点９ａを過ぎることにより戸当り方向にドアを押しつけるような作用を生ぜしめて、前記制御カム板５による作用を補助することができる。
【００１９】
図２においては上記したような本発明によるものが幅が1.２ｍ以上で高さが２ｍを超えるような建物入口部または医療機関の診療ないし検査室入口部などに採用されるに適した状態が示されている。即ち従来においてはこのようなドアは鋼材製であって１枚の重量が７０〜８０kgを超えることとなり、斯様なドアの走行に関しては成程ローラ３による走行軽快化が図られるとしても通行者は例えば片手操作するようなことは困難で上記したような本発明の作用効果を的確に得ることができない。そこで本発明ではドア１を構成する骨組材１６ないし枠材として木質系のような軽量部材を採用すると共に例えばガラス繊維または石綿繊維若しくは炭素繊維のような無機質繊維もしくはそれに準じた繊維組織に合成樹脂質を含浸硬化させた板状体１７を取付けたものを用いる。
【００２０】
即ち上記のような木質骨組材１６と代表的にガラス繊維１２に合成樹脂質を含浸させた樹脂含浸繊維質板状体１７によって幅が1.２ｍで高さが２ｍであり厚さが４０mmの同一寸法によるドアとして製作したものの重量は２０〜３０kgであって、同様の目的で従来採用されていたものの３分の１以下の重量となる。従ってこのようなドアは吊り戸方式によって前記した図１の走行レール６によって吊止し通行者が片手操作の如きで開閉操作するのに適したものとして得られることが確認された。
【００２１】
つまり、前記のようなドア１には図１に示したものと同様にローラ３と転子状係合部４とを対称状に配設した吊金具２、２を対称的に取付け、その両端側の如きには把手１４を取付けたもので、このようなドア１を走行せしめるべく図１のように配設された走行レール６の両端側には同じく図１に示したような制御カム板５、連結軸７および復動弾性材８より成る制御カム機構を対称状として走行レール６の両端側に対設した。
【００２２】
換言すれば前記した図１に仮想線で示されているように係合部４がカム部１５を通過した場合には弾性材８の復元作用力を帯びた制御カム板５の作用でドア１を柱１３または戸当りに押しつけているが、斯うして完全閉塞状態であったドア１が開披作用力を受け、係合部４がカム部１５を超えると制御カム板１５の復元力はドア１を開披する方向に作用して開披作用を容易ならしめる。
【００２３】
このようにしてドア１が開披され図２に示したような本発明のドアが反対側（図２において図示上右側）の柱または戸当り部分に達すると（図１の状態で）走行レール６の右側に対設された制御カム板５による作用を図２における右側の吊り金具２における係合部４が受けてカム部１５を超えるまで制動作用を受けることとなり、次いでカム部１５を係合部４が超えることによって該係合部４が制御カム板５の弾性作用で柱または戸当りに対する押しつけ力を受けることとなる。
【００２４】
上記のように図２に示したような縦横が２ｍ×1.２ｍ程度またはそれ以上のような大型ドア１が２５〜２６kg程度の重量のものとして得られ、しかもカム部１５を有する制御カム板５の好ましい作用条件下で走行レール６を走行する吊下げ方式の本発明ドアは車椅子に着座した通行者などが片手操作によっても適宜に開閉し得ることとなり、また戸締り状態も的確に達成されることは明かである。
【００２５】
図３以下には上記したような本発明によるものが医療機関などの病室や診察室の如きにおける入口部に採用されるのに適した形態が示されている。即ち上記したようなドア１は図３および図６に示すような両側の方立２１および２２、２２と上部梁材２４との間に形成されたドア走行域３０において走行するが、該ドア走行域３０の一側には戸袋形成部体２０、２０ａがもう１つの方立２３との間に取付けられ、また方立２２、２２からそれら戸袋形成部体２０、２０ａの間に図６に示すようなドア１の走行間隔部２５を形成している。
【００２６】
前記した戸袋形成部体２０、２０ａは本発明において軽量でしかも適切な強度を確保すべくアルミニウム系軽金属合金による連続屈曲板部材１９の表裏に裏面板１８を取付けたものを採用しハニカム構造に準じた高く且つ安定した強度を厚さ方向において確保し、端部に取付けられたＵ形部材２９や方立内装部体２３ａなどと相俟って軽量であってもドア１の走行間隔部２５に安定した構造部を形成している。
【００２７】
上記のように取付けられた一方の戸袋形成部体２０は図６に示すように方立２１側に連結された室内側ボード３１と面を揃えて面一状に位置し、また他方の固定戸袋形成部体２０ａは方立２２の内側に設けられたＬ形連結片２６と方立２３との間に取付けられ、方立２１部分において廊下などの室外面に設けられた室外側ボード３２と面一状として前記方立２２から方立２３の外面に対し同じく室外側ボード３２ａが取付けられて室外面を形成していることは図示の如くである。
【００２８】
ドア１の走行域３０の上部には図４に示すように梁材２６、２６ａが内外面側に対設され、それらの梁材２６、２６ａ間に設けられた取付形材２７の一側には既述したような走行レール６が取付けられてドア１を走行させることは既述した如くであるが、また該取付形材２７の先端部に形成されたレール部２８にはドア走行域３０において図４に示す如く梁材２６ａを取付けてあるが、区劃壁の厚さ方向において既述したような戸袋形成部体２０の設定域では別に図５として示してあるように延出した前記レール部２８が位置していて前記戸袋形成部体２０の上端部内側面に設けられた走行ローラ３３が係合している。
【００２９】
なお戸袋形成部体２０の下端部２０ｅは前記図５において併せて示してあるように戸袋形成域における室内側に取付けられた受入枠部３４に受入れられる如くされ、即ち前記戸袋形成部体２０はその上端が上述したような走行ローラ３３とレール部２８によってドア１の開閉域方向に移動可能であり、固定戸袋形成部体２０ａの配設域に引込まれた状態では前記受入枠部３４に受入れられて固定壁面状を形成するが、ドア１の開閉域にレール部２８で引出された状態においては受入枠部３４を外れ、レール部２８から適宜に取外すことができるように成っている。
【００３０】
即ち戸袋形成部体２０が上記のようにドア１の開閉域方向に移動可能であることは戸袋部における室内側が適宜に室内へ開放し得ることであって、従来のように戸袋部が永久的な密閉域を構成維持することなく適宜に開放して機構的点検、補修を行い、また清掃を可能にして塵埃の集積場所となるようなことをなからしめる。
【００３１】
上記したような本発明によるものは吊戸方式により走行域上辺部に走行レールを設け、ドア頂部に配設された吊金具の走行ローラを前記走行レールに係合せしめて前記ドアの走行を図るようにしたものであることにより床面にレールや走行溝のない平滑な床面上において自在に開閉操作せしめられる。
【００３２】
また前記のような構成関係のものにおいて前記吊金具またはその近傍に接合部を設け、前記した走行レールの上方における上記通行域の端部側に基端側を枢着された制御カム板を設け、該制動カム板に復動弾性材を配設したことによって、走行レールに沿い走行されたドアが該制御カム板によるカム部で好ましい制動作用を受け、軽快に走行したドアが柱または戸当り部直前で緩速状態とされ、しかも接合部がカム部を超えることにより増速状態となって的確な閉塞状態を形成する。
【００３３】
幅が1.５ｍ以上で高さが1.８ｍを超えるドアをアルミニウム系軽金属による枠材と無機質繊維に合成樹脂質を含浸硬化させた板状体を用いて形成したことにより上記のように大型なドアであっても比較的軽量に得ることができて開閉操作を容易とし、しかも適当な強度性その他の大型ドアに必要な特性を保持し、また好ましい耐火性を確保させる。
【００３４】
前記したような比較的大型をなすドア頂部両端側に対設された吊金具の走行ローラを通行域上辺部に設けられた走行レールに係合せしめ、前記吊金具またはその近傍に上記走行ローラとは別の接合部を設け、前記走行レールの上方における上記通行域の端部側に基端側を枢着された制御カム板を設け、該制動カム板に復動弾性材を配設したことによって上述したところと同様に制御カム板におけるカム部で好ましい制動作用を受け、軽快な走行と柱または戸当り部直前での緩速化と的確な閉塞状態形成を図る。
【００３５】
走行レールの柱または戸当り部より適当な距離を採って前記走行レール上を走行する吊金具ローラの走行を制御するレールカム部を形成したことにより前記制御カム板による制動作用に先行し、あるいはこの制御カム板による制動作用と同時的にこのレールカム部による制動作用を得しめて前記したようなドア走行軽快化、戸当り部直前での緩速化と的確な閉塞状態形成をより有効化する。
【００３６】
室の内外を区劃する区劃壁内に形成された戸袋部がアルミニウム系軽金属による連続屈曲板部材を用いて形成されたことにより該戸袋部の強度を確保しながらこの戸袋部における区劃壁の厚さを縮減し、即ち建築物全般における区劃壁厚さを小として建築物内部の有効利用を図り、また建築コストを低減する。
【００３７】
前記区劃壁内に形成された戸袋部の室内側壁面部体を移動可能に設けたことにより該戸袋部を適宜に開放し、内部機構の点検、補修ないし内部清掃を図って清潔性を確保する。
【００３８】
【発明の効果】
以上説明したような本発明によるならば床面にレールないし敷居を必要とせず、清掃や車椅子ないし寝台車などの通行に好ましい吊戸方式を採用して軽快な走行を図り、しかもそのドア走行の終点部分において制御カム板と接合部による好ましい制動作用を得しめてドア戸当り部における衝撃をなからしめ、しかも常に好ましい完全閉塞状態を形成し得るものであり、縦、横の何れか一方または双方が２ｍ近くまたそれ以上であるような大型ドアをその強度その他の特性を充分に確保しながら有利な軽量化を図って前記吊戸方式による軽快な操作を可能となし、上述したような制動ないし完全閉塞状態の形成を的確に達成せしめて病院その他の医療機関内ドア設備として好ましい特性を発揮せしめ得るなどの効果を有している。
【００３９】
また部屋の内外を区劃する区劃壁内に開放されたドアを収納する戸袋部を形成しながら区劃壁の厚みを適切に低減し、更に該戸袋部の内部点検や清掃を容易として清潔且つ衛生的な建築構造を提供するなどの効果を有しており、工業的にその効果の大きい発明である。
【図面の簡単な説明】
【図１】本発明によるドア開閉装置の１例を示した走行域端部側構成の正面図である。
【図２】本発明によるドアについての部分切欠正面図である。
【図３】本発明による医療機関病室や診察室の如きに適した入口部ドア設備の正面図である。
【図４】図３に示したものにおけるドア部分について拡大した中間省略縦断面図である。
【図５】その戸袋部分についての拡大した中間省略縦断面図である。
【図６】図３に示したものについての中間省略横断面図である。
【符号の説明】
１      ドア
２      吊金具
３      ローラ
４      係合部
５      制御カム板
６      走行レール
７      連結軸
８      復動弾性材
９      レールカム部
１０    床面
１２    ガラス繊維などの繊維材
１３    柱（または戸当り部）
１４    把手
１５    カム部
１６    軽金属骨組材
１７    樹脂含浸繊維質板状体
１８    表面板
１９    連続屈曲部材
２０    戸袋形成部体
２０ａ  固定戸袋形成部体
２０ｅ  戸袋形成部体２０の下端部
２１    方立
２２    方立
２３    方立
２３ａ  方立内装部材
２４    上部梁
２５    走行間隔部
２６    梁材
２６ａ  梁材
２７    取付形材
２８    レール部
２９    Ｕ形部材
３０    ドア走行域
３１    室内側ボード
３２    室外側ボード
３２ａ  室外側ボード
３３    走行ローラ
３４    受入枠部
【図１】
0003911580.tif 000002
【図２】
0003911580.tif 000003
【図３】
0003911580.tif 000004
【図４】
0003911580.tif 000005
【図５】
0003911580.tif 000006
【図６】
0003911580.tif 000007